(57)【要約】【課題】取り付け時に位置合わせの必要な実装部品を容易に実装可能にする。【解決手段】実装部品（５）の端子構造は、実装部品（５）を機器（２）に設ける際に用いる端子（８）を備える。この端子（８）は、実装部品（５）を基板（６）に取り付ける際、実装部品（５）の取り付け位置を調節する位置調節機構を備えている。この位置調節機構として、位置調節を行う方向に伸縮自在な弾性部材（８）を用いるか、あるいは、複数の脚部材（９ａ〜９ｃ）と、脚部材（９ａ〜９ｃ）同士又は実装部品（５）と脚部材（９ａ〜９ｃ）とを回動自在に連結する連結部材（１０ａ〜１０ｃ）と、を用いた。【選択図】        図１
2005026284.tif 000002
【特許請求の範囲】
【請求項１】
実装部品と、この実装部品が端子により取り付けられる基板とが固定される機器における実装部品の端子構造であって、
前記端子は、前記実装部品を前記基板に取り付けた後に当該実装部品の位置を調節する位置調節機構を備えることを特徴とする実装部品の端子構造。
【請求項２】
前記位置調節機構は、位置調節を行う方向に伸縮自在な弾性部材を備えることを特徴とする請求項１に記載の実装部品の端子構造。
【請求項３】
前記位置調節機構は、複数の脚部材と、前記脚部材同士又は前記実装部品と前記脚部材とを回動自在に連結する連結部材と、を備えることを特徴とする請求項１に記載の実装部品の端子構造。
【請求項４】
前記連結部材は、ユニバーサルジョイントであることを特徴とする請求項３に記載の実装部品の端子構造。
【請求項５】
請求項１〜４の何れか一項に記載の実装部品の端子構造を備える端子を用いた実装部品の実装方法であって、
前記実装部品を前記端子により前記基板の一方の面に取り付け、
次いで、前記実装部品と前記基板のうちの一方を前記機器に取り付けて固定した後、前記位置調整機構により前記実装部品の位置調整をしつつ、前記実装部品と前記基板のうちの他方を前記機器に取り付けることを特徴とする実装部品の実装方法。
【発明の詳細な説明】
【０００１】
【発明の属する技術分野】
本発明は、実装部品の端子構造及び実装部品の実装方法に関する。
【０００２】
【従来の技術】
従来、実装部品を取り付ける部品の端子構造としては、例えば、導電性を有する板バネ部材からなるソケット端子に受部を形成し、この受部のソケット本体側にソケット端子を挟持する挟持部を形成し、ソケット端子を簡易かつ確実にプリント配線板に固定できるＩＣソケットが提案されている（例えば、特許文献１参照）。
また、二つの撮像素子取付部材により撮像素子をサンドイッチする構造とし、この二つの取付部材をフレーム枠体に取り付け、撮像素子の回路基板側に取付穴を設ける必要をなくした撮像素子の取付構造が提案されている（例えば、特許文献２参照）。
【０００３】
ところで、例えば、デジタルカメラにおいて、レンズユニット及び撮像素子を基板に取り付ける際には、光軸方向における取付位置が重要となる。そこで、例えば、図６に示すように、撮像素子１０２の光軸方向の位置を合わせながら、レンズユニット１０１に撮像素子１０２を固定板１０３により取り付け、次いで、レンズユニット１０１をケース体１０４に取り付けた後、基板１０５にケース体１０４を取り付ける実装が知られている（これを方法Ａとする）。
方法Ａにおいては、ケース体１０４にレンズユニット１０１と撮像素子１０２とを取り付けた後に撮像素子１０２を基板１０５に実装するため、予めレンズユニット１０１と基板１０５との間の距離を設定しておけば、レンズユニット１０１と撮像素子１０２との間の距離を調節する作業は不要となる。しかし、撮像素子１０２を基板１０５に実装する際に、作業者がレンズユニット１０１と基板１０５の間に手を入れて作業をすることは困難であるため、図７に示すように、撮像素子１０２の端子１０６を基板１０５に貫通させて基板１０５の裏面側から半田Ｓによって実装することとなる。
また、他の方法としては、例えば、図８、９に示すように、撮像素子１１２をフレキシブル基板１１５に実装し、次いで、レンズユニット１１１をケース体１１４に取り付けるとともに、レンズユニット１１１に撮像素子１１２を固定板１１３により取り付ける実装も知られている（これを方法Ｂとする）。
【０００４】
【特許文献１】
特許第３３１２３５３号公報
【特許文献２】
特公平６−２８３９４号公報
【０００５】
【発明が解決しようとする課題】
しかし、方法Ａにおいては、撮像素子１０２の端子１０６を基板１０５に貫通させて基板１０５の裏面側から半田Ｓによって実装することとなるので、基板１０５の裏面が使用できず、他の部品の実装後に手作業で行う実装の工数が増えてしまうという問題があった。
一方、方法Ｂにおいては、基板の片面だけを用いて撮像素子１１２を実装できるものの、撮像素子１１２の位置合わせをするために基板をフレキシブル基板１１５にする必要があるため、生産コストが高くなるという問題があった。また、撮像素子１１２の位置合わせのためにフレキシブル基板１１５を設けるので、他の部品のための基板を設ける必要があった。
このような課題に対して、上述した特許文献１、特許文献２には何等有効な解決手段は開示されていない。
【０００６】
そこで、本発明の課題は、取り付け時に位置合わせの必要な実装部品を容易に実装できる実装部品の端子構造を提供することにある。
【０００７】
【課題を解決するための手段】
以上の課題を解決するため、請求項１に記載の発明は、実装部品と、この実装部品が端子により取り付けられる基板とが固定される機器における実装部品の端子構造であって、前記端子は、前記実装部品を前記基板に取り付けた後に当該実装部品の位置を調節する位置調節機構を備えることを特徴とする。
【０００８】
請求項１に記載の発明によれば、端子に備えられた位置調節機構により、実装部品を基板に取り付けた後に、機器に対する実装部品の位置を調節できる。これにより、取り付け時に位置合わせの必要な実装部品を容易に実装できる。
【０００９】
請求項２に記載の発明は、請求項１に記載の実装部品の端子構造において、前記位置調節機構は、位置調節を行う方向に伸縮自在な弾性部材を備えることを特徴とする。
【００１０】
請求項２に記載の発明によれば、位置調節機構は、位置調節を行う方向に伸縮自在な弾性部材を備えるので、弾性部材が伸縮することで機器に対する実装部品の位置を容易に調節することができる。
【００１１】
請求項３に記載の発明は、請求項１に記載の実装部品の端子構造において、前記位置調節機構は、複数の脚部材と、前記脚部材同士又は前記実装部品と前記脚部材とを回動自在に連結する連結部材と、を備えることを特徴とする。
【００１２】
請求項３に記載の発明によれば、実装部品と基板は、複数の脚部材が連結部材によって回動自在に連結されているので、連結部材を介して連結されている互いの脚部材がなす角度を変えることにより、実装部品と基板の間隔を変化させることができる。よって、機器に対する実装部品の位置を容易に調節することができ、簡単な構造で位置調節機構を構成することができる。
【００１３】
請求項４に記載の発明は、請求項３に記載の実装部品の端子構造において、前記連結部材は、ユニバーサルジョイントであることを特徴とする。
【００１４】
請求項４に記載の発明によれば、連結部材としてユニバーサルジョイントを用いることにより、脚部材をあらゆる方向に位置させることができる。これにより、実装部品と基板の間隔を変化させることができて機器に対する実装部品の位置を容易に調節することができるとともに、実装部品の位置を調節することもできる。
【００１５】
請求項５に記載の発明は、請求項１〜４の何れか一項に記載の実装部品の端子構造を備える端子を用いた実装部品の実装方法であって、前記実装部品を前記端子により前記基板の一方の面に取り付け、次いで、前記実装部品と前記基板のうちの一方を前記機器に取り付けて固定した後、前記位置調整機構により前記実装部品の位置調整をしつつ、前記実装部品と前記基板のうちの他方を前記機器に取り付けることを特徴とする。
【００１６】
請求項５に記載の発明によれば、実装部品を基板の片面だけに実装できるので基板の使用領域を有効に利用することができる。また、実装部品を基板に取り付けた後で機器に取り付ける際にも、機器に対する実装部品の位置を調節できるので、取り付け時に位置合わせの必要な実装部品を容易に実装できる。
【００１７】
【発明の実施の形態】
以下、図面を参照して本発明に係る実装部品の端子構造の実施の一形態について詳細に説明する。なお、本実施の形態では、実装部品としてデジタルカメラの撮像素子を例に挙げて説明する。
【００１８】
〔第１の実施の形態〕
デジタルカメラ１は、図１に示すように、各構成部品が内部に設けられる機器を構成するケース体２と、被写体を捉えるレンズ３を備える機器を構成するレンズユニット４、レンズ３が捉えた被写体の画像を作成する実装部品としての撮像素子５、デジタルカメラ１を機能させる回路等が形成された基板６等を備えている。
レンズユニット４は、中空円筒状に形成され、ケース体２に設けられた開口部２ａに配置されてケース体２に設けられている。また、レンズユニット４の内部には、凹レンズ３ａや凸レンズ３ｂ等が設けられている。レンズユニット４の基端部には、撮像素子５が固定板７によって取り付けられている。
撮像素子５の両端には、端子８が設けられている。この端子８は、少なくとも一部が弾性部材としての板バネ８で構成されている。
板バネ８は、撮像素子５の両端部に少なくとも一つ以上ずつ設けられ、撮像素子５の各端部から側方に延び、途中で撮像素子５の下方に向けて折曲され、更に、基板６との接触点で基板６の面方向に沿って撮像素子５から遠ざかる方向に延びて形成されている。このような構成とすることにより、板バネ８は、位置調節を行う方向、換言すれば、撮像素子５の上下方向に伸縮自在となり、撮像素子５の位置調節を行う位置調節機構として機能させることができる。
【００１９】
次に、デジタルカメラ１の組立方法について説明する。
図２に示すように、撮像素子５に設けられた端子８の下端部を、半田Ｓを用いて基板６の片面に実装する。この際、他の部品も端子８の下端部とともに半田Ｓを用いて実装する。一方、ケース体２にレンズユニット４を取り付ける。
次いで、ケース体２を撮像素子５及び基板６の上方から被せる。ここで、板バネ８が自然長の時における撮像素子５の位置がレンズユニット４により決定される撮像素子５の所定位置よりも下方にある場合、撮像素子５をレンズユニット４側に引いて板バネ８を伸ばし、固定板７を用いて撮像素子５を所定位置に位置決めする。一方、板バネ８が自然長の時における撮像素子５の位置がレンズユニット４により決定される撮像素子５の所定位置よりも上方にある場合、レンズユニット４が撮像素子５を下方に押して板バネ８を縮め、撮像素子５を所定位置に位置決めする。
そして、レンズユニット４に取り付けられた撮像素子５は、上方からケース体２が押さえ付ける力と、端子８を構成する板バネ８の復元力との釣り合いによって均衡が保たれる。次いで、ケース体２に基板６を取り付ける。
【００２０】
本実施の形態の撮像素子５の端子構造によれば、端子８に備えられた位置調節機構は、少なくとも一部が板バネ８から構成されているので、レンズユニット４で撮像素子５の上面を押さえ付けることにより、レンズユニット４に対する撮像素子５の位置を自由に調節することができる。
また、撮像素子５を基板６の片面だけに実装できるので基板６の使用領域を有効に利用することができる。また、撮像素子５を基板６に取り付けた後でレンズユニット４に取り付ける際にも、レンズユニット４に対する撮像素子５の位置を調節できるので、取り付け時に位置合わせの必要な撮像素子５を容易に実装できる。
【００２１】
なお、本発明は、上記実施の形態に限定されるものではなく、例えば、位置調節機構として、撮像素子５の下面にコイルバネを設けた構成としてもよい。また、デジタルカメラ１の組立において、レンズユニット４に撮像素子５を取り付けてからケース体２に基板６を取り付けてもよいし、ケース体２に基板６を取り付けてからレンズユニット４に撮像素子５を取り付けてもよい。
その他、本発明は、発明の要旨を逸脱しない範囲内で自由に変更、改良が可能である。
【００２２】
〔第２の実施の形態〕
次に、本発明に係る撮像素子の端子構造の第２の実施の形態について説明する。なお、第２の実施の形態の特徴は、第１の実施の形態において、端子８が複数の脚部材１０を連結部材１１によって回動自在に連結されて構成されたものであるため、端子の構造のみについて説明し、その他の共通する部分は同一符号を付して説明を省略する。
【００２３】
図３に示すように、端子１５は撮像素子５の両端に１つずつ設けられ、各端子１５は、３本の脚部材９ａ〜９ｃと３つのユニバーサルジョイント１０ａ〜１０ｃとを備えている。撮像素子５には、ユニバーサルジョイント１０ａが設けられ、このユニバーサルジョイント１０ａに脚部材９ａの一端が連結され、脚部材９ａの他端にユニバーサルジョイント１０ｂが連結されている。このユニバーサルジョイント１０ｂには、脚部材９ｂが連結され、この脚部材９ｂには基板６上に設けられたユニバーサルジョイント１０ｃが連結されている。このユニバーサルジョイント１０ｃには更に脚部材９ｃが連結され、この脚部材９ｃは、半田で基板６上に実装されている。
【００２４】
次に、デジタルカメラ１の組立方法について説明する。
図３に示すように、撮像素子５に設けられた脚部材９ｃを、半田Ｓを用いて基板６の片面に実装する。この際、他の部品も端子８の下端部とともに半田Ｓを用いて実装する。一方、ケース体２にレンズユニット４を取り付ける。
次いで、ケース体２を撮像素子５及び基板６の上方から被せる。ここで、脚部材９ａ〜９ｃの初期状態における撮像素子５の位置がレンズユニット４により決定される撮像素子５の所定位置よりも下方にある場合、撮像素子５をレンズユニット４側に引いて、脚部材９ａをユニバーサルジョイント１０ｂを回動中心として回動させ、脚部材９ｂをユニバーサルジョイント１０ｃを回動中心として回動させ、固定板７を用いて撮像素子５を所定位置に位置決めする。一方、脚部材９ａ〜９ｃの初期状態における撮像素子５の位置がレンズユニット４により決定される撮像素子５の所定位置よりも上方にある場合、レンズユニット４が撮像素子５を下方に押して、脚部材９ａをユニバーサルジョイント１０ｂを回動中心として回動させ、脚部材９ｂをユニバーサルジョイント１０ｃを回動中心として回動させて撮像素子５を所定位置に位置決めする。
そして、レンズユニット４に取り付けられた撮像素子５は、上方からケース体２が押さえ付ける力と、端子８を構成する脚部材９ａ〜９ｃの支持力との釣り合いによって均衡が保たれる。次いで、ケース体２に基板６を取り付ける。
【００２５】
本実施の形態の撮像素子５の端子構造によれば、端子８に備えられた位置調節機構は、複数の脚部材９ａ〜９ｃとユニバーサルジョイント１０ａ〜１０ｃとを備え、複数の脚部材９ａ〜９ｃがユニバーサルジョイント１０ａ〜１０ｃによって回動自在に連結されているので、ユニバーサルジョイント１０ａ〜１０ｃを介して連結されている互いの脚部材９ａ〜９ｃがなす角度を変えることにより、撮像素子５と基板６の間隔を変化させることができる。よって、レンズユニット４に対する撮像素子５の位置を容易に調節することができ、簡単な構造で位置調節機構を構成することができる。
更に、連結部材としてユニバーサルジョイント１０ａ〜１０ｃを用いることにより、脚部材９ａ〜９ｃをあらゆる方向に位置させることができる。これにより、撮像素子５と基板６の間隔を調整することができてレンズユニット４に対する撮像素子５の位置を容易に調節することができるとともに、撮像素子５の位置を調整することもできる。
【００２６】
なお、本発明は、上記実施の形態に限定されるものではなく、例えば、図４に示すように、４本の脚部材１１ａ〜１１ｄと３つのユニバーサルジョイント１２ａ〜１２ｃで連結したものでもよい。この場合、撮像素子５に１本の脚部材１１ａがユニバーサルジョイント１２ａ〜１２ｃを介さずに直接連結されているので、撮像素子５を上下方向に移動させる際に傾きにくくすることができる。
また、図５に示すように、図３における脚部材９ｃをユニバーサルジョイント１０ｃの位置よりも内側に向けて配置して半田付けを行ってもよい。この場合、撮像素子５を実装するのに必要な基板６上の領域を小さくすることができるので、基板６の小型化を図ることができる。
その他、本発明は、発明の要旨を逸脱しない範囲内で自由に変更、改良が可能である。
【００２７】
【発明の効果】
請求項１に記載の発明によれば、端子に備えられた位置調節機構により、実装部品を基板に取り付けた後に、機器に対する実装部品の位置を調節できる。これにより、取り付け時に位置合わせの必要な実装部品を容易に実装できる。
【００２８】
請求項２に記載の発明によれば、位置調節機構は、位置調節を行う方向に伸縮自在な弾性部材を備えるので、弾性部材が伸縮することで機器に対する実装部品の位置を容易に調節することができる。
【００２９】
請求項３に記載の発明によれば、実装部品と基板は、複数の脚部材が連結部材によって回動自在に連結されているので、連結部材を介して連結されている互いの脚部材がなす角度を変えることにより、実装部品と基板の間隔を変化させることができる。よって、機器に対する実装部品の位置を容易に調節することができ、簡単な構造で位置調節機構を構成することができる。
【００３０】
請求項４に記載の発明によれば、連結部材としてユニバーサルジョイントを用いることにより、脚部材をあらゆる方向に位置させることができる。これにより、実装部品と基板の間隔を変化させることができて機器に対する実装部品の位置を容易に調節することができるとともに、実装部品の位置を調節することもできる。
【００３１】
請求項５に記載の発明によれば、実装部品を基板の片面だけに実装できるので基板の使用領域を有効に利用することができる。また、実装部品を基板に取り付けた後で機器に取り付ける際にも、機器に対する実装部品の位置を調節できるので、取り付け時に位置合わせの必要な実装部品を容易に実装できる。
【図面の簡単な説明】
【図１】第１の実施の形態におけるデジタルカメラの一部の概略断面図である。
【図２】第１の実施の形態におけるデジタルカメラを組み立てる際の説明図である。
【図３】第２の実施の形態におけるデジタルカメラの撮像素子の設けられた端子構造を示す図であり、（ａ）は撮像素子を押さえ付ける前の状態、（ｂ）は撮像素子を押さえ付けた後の状態を示す図である。
【図４】第２の実施の形態におけるデジタルカメラの撮像素子の設けられた端子構造の変形例を示す図であり、（ａ）は撮像素子を押さえ付ける前の状態、（ｂ）は撮像素子を押さえ付けた後の状態を示す図である。
【図５】第２の実施の形態におけるデジタルカメラの撮像素子の設けられた端子構造の変形例を示す図であり、（ａ）は撮像素子を押さえ付ける前の状態、（ｂ）は撮像素子を押さえ付けた後の状態を示す図である。
【図６】従来技術におけるデジタルカメラを組み立てる際の説明図である。
【図７】従来技術におけるデジタルカメラの一部の概略断面図である。
【図８】他の従来技術におけるデジタルカメラを組み立てる際の説明図である。
【図９】他の従来技術におけるデジタルカメラの一部の概略断面図である。
【符号の説明】
１      デジタルカメラ
５      撮像素子（実装部品）
６      基板
８      端子
８    板バネ
９      脚部材
１０    ユニバーサルジョイント（連結部材）
１１    脚部材
１２    ユニバーサルジョイント（連結部材）
【図１】
2005026284.tif 000003
【図２】
2005026284.tif 000004
【図３】
2005026284.tif 000005
【図４】
2005026284.tif 000006
【図５】
2005026284.tif 000007
【図６】
2005026284.tif 000008
【図７】
2005026284.tif 000009
【図８】
2005026284.tif 000010
【図９】
2005026284.tif 000011